(57)【特許請求の範囲】
【請求項１】
走行操作が可能な模擬二輪車（４０）と、予め設定されたコース上での操作者による操作に応じた映像を前記模擬二輪車（４０）の前方に投影するディスプレイ（３２）とを有するライディングシミュレータ（１０）において、
複数の異なる教習コースを記憶する教習コースデータベース（４０４）と、
前記操作者に所定の操作を要求する複数の訓練シーンを記憶する訓練シーンデータベース（４０７）と、
前記教習コースデータベース（４０４）から読み出された１つの教習コースに対して、訓練シーン割当部（４０３）によって前記訓練シーンを同じ割合で割り当てて教習コースを設定する教習コース設定部（４０１）と、
前記訓練シーンに対して行われた操作と、要求される所定の操作とを比較する訓練シーン別評価部（６０１）と、
前回の走行結果を記憶する前回走行結果記憶部（４０５）と、
前回走行結果記憶部（４０５）から読み出された前回の走行時の訓練シーンに対する評価結果と、今回の走行時の訓練シーンに対する評価結果とを比較する訓練シーン別前回結果比較部（６０２）とを具備することを特徴とするライディングシミュレータ。
【請求項２】
前記訓練シーン別評価部（６０１）の結果に応じて、複数のアドバイスを記憶するアドバイスデータベース（４５１）から訓練シーン毎の結果に対応する走行結果アドバイス（８０３，８０６，９５３，９５６）を読み出すアドバイス作成部（４５０）を具備することを特徴とする請求項１に記載のライディングシミュレータ。
【請求項３】
教習コース全体を通じて設けられる複数の評価項目を用いて、コース全体の走行に対する評価を行うコース全体評価部（６０３）と、
前回走行結果記憶部（４０５）から読み出された前回の走行時のコース全体評価結果と、今回の走行時のコース全体評価結果とを比較するコース全体前回結果比較部（６０５）とを備え、
教習コース設定部（４０１）は、前記教習コースデータベース（４０４）から読み出された１つの教習コースに対して、前記複数の評価項目を同じ割合で割り当てることを特徴とする請求項１または２に記載のライディングシミュレータ。
【請求項４】
前記コース全体評価部（６０１）は、エコドライブ度を評価するエコドライブ度評価部（６０４）を具備し、
前記エコドライブ度評価部（６０４）は、操作者の操作に基づいて、コース全体の平均燃費および最低瞬間燃費を算出し、該平均燃費および最低瞬間燃費とエコドライブ度との関係を示す予め定められたマップに基づいて前記エコドライブ度を導出することを特徴とする請求項１ないし３のいずれかに記載のライディングシミュレータ。
【請求項５】
前記訓練シーン別評価部（６０１）、前記訓練シーン別前回結果比較部（６０２）、前記コース全体評価部（６０３）および前記コース全体前回結果比較部（６０５）からの出力に基づいて、教習結果を集約した結果シート（７００，８００，９００，９５０）を作成する結果シート作成部（４５２）を具備することを特徴とする請求項１ないし４のいずれかに記載のライディングシミュレータ。
【請求項６】
前記訓練シーンでの走行結果を、前記訓練シーンが出現している平面地図による走行マップ（８０２，８０７，９５２，９５７）よって表示するマップ作成部（５０３）と、
前記マップ作成部（５０３）によって作成された前回走行時の走行マップ（８０２，９５２）と今回走行時の走行マップ（８０７，９５７）とを同時に表示する教習結果作成部（５００）とを具備することを特徴とする請求項１ないし５のいずれかに記載のライディングシミュレータ。
【請求項７】
教習結果作成部（５００）は、前回走行時の走行マップ（８０２，９５２）と今回走行時の走行マップ（８０７，９５７）との間に、訓練シーン毎の結果に対応する走行結果アドバイス（８０３，８０６，９５３，９５６）を表示することを特徴とする請求項６に記載のライディングシミュレータ。
【請求項８】
前記複数の評価項目に対する評価を表す多角形状のレーダーチャートを作成するチャート作成部（５０１）を具備し、
前記チャート作成部（５０１）は、前回走行時の結果と今回走行時の結果とを重ね合わせたレーダーチャート（７０８，９０３）を作成することを特徴とする請求項３に記載のライディングシミュレータ。
【請求項９】
前記コース全体評価部（６０１）は、エコドライブ度を評価するエコドライブ度評価部（６０４）を具備し、
前記エコドライブ度評価部（６０４）は、操作者の操作に基づいて、少なくともコース全体の平均燃費に基づいて前記エコドライブ度を点数で表示することを特徴とする請求項１ないし３のいずれかに記載のライディングシミュレータ。
【請求項１０】
前記エコドライブ度評価部（６０４）は、前記コース全体の平均燃費に基づいて算出される平均燃費評価、停止状態からの発進時に検知される最大スロットル開度に基づいて算出される発進加速評価、予め定めたブレーキ力を超えるブレーキ入力の回数に基づいて算出される急減速評価をそれぞれ点数で表示すると共に、前記平均燃費評価と前記発進加速評価と前記急減速評価との合計点数による総合評価点数を表示することを特徴とする請求項９に記載のライディングシミュレータ。
【請求項１１】
前記アドバイス作成部（４５０）は、前記訓練シーン別前回結果比較部（６０２）によって前回結果と今回結果とを比較した結果を文章で示す総合アドバイスを作成し、総合アドバイス欄（９６０）に表示することを特徴とする請求項２に記載のライディングシミュレータ。
【発明の詳細な説明】
【技術分野】
【０００１】
本発明は、ライディングシミュレータに係り、特に、ディスプレイ上に走行映像を表示して二輪車の走行状態を疑似体験させるライディングシミュレータに関する。
【背景技術】
【０００２】
従来から、二輪車や四輪車等の模擬車両を操作し、ディスプレイ上に表示した走行映像によって走行状態を疑似体験することができる運転シミュレータが知られている。
【０００３】
特許文献１には、前回の運転結果を記憶しておき、これを今回の運転結果と比較した診断を行うことができる運転シミュレータが開示されている。
【先行技術文献】
【特許文献】
【０００４】
【特許文献１】特開２００５−１８１９９７号公報
【発明の概要】
【発明が解決しようとする課題】
【０００５】
しかしながら、特許文献１に記載された技術では、同じコースを何度も走行して記憶してしまうことで、運転技術の上達に関係なく良い結果が出てしまう可能性があったり、また、異なるコースで教習した場合においては、過去の走行結果との比較が難しくなり、やはり訓練による上達度合を正確に判断することが難しいという課題があった。
【０００６】
本発明の目的は、上記従来技術の課題を解決し、異なるコースでの走行結果を比較して運転技術の上達度合を正確に診断することができるライディングシミュレータを提供することにある。
【課題を解決するための手段】
【０００７】
前記目的を達成するために、本発明は、走行操作が可能な模擬二輪車（４０）と、予め設定されたコース上での操作者による操作に応じた映像を前記模擬二輪車（４０）の前方に投影するディスプレイ（３２）とを有するライディングシミュレータ（１０）において、複数の異なる教習コースを記憶する教習コースデータベース（４０４）と、前記操作者に所定の操作を要求する複数の訓練シーンを記憶する訓練シーンデータベース（４０７）と、前記教習コースデータベース（４０４）から読み出された１つの教習コースに対して、訓練シーン割当部（４０３）によって前記訓練シーンを同じ割合で割り当てて教習コースを設定する教習コース設定部（４０１）と、前記訓練シーンに対して行われた操作と、要求される所定の操作とを比較する訓練シーン別評価部（６０１）と、前回の走行結果を記憶する前回走行結果記憶部（４０５）と、前回走行結果記憶部（４０５）から読み出された前回の走行時の訓練シーンに対する評価結果と、今回の走行時の訓練シーンに対する評価結果とを比較する訓練シーン別前回結果比較部（６０２）とを具備する点に第１の特徴がある。
【０００８】
また、前記訓練シーン別評価部（６０１）の結果に応じて、複数のアドバイスを記憶するアドバイスデータベース（４５１）から訓練シーン毎の結果に対応する走行結果アドバイス（８０３，８０６，９５３，９５６）を読み出すアドバイス作成部（４５０）を具備する点に第２の特徴がある。
【０００９】
また、教習コース全体を通じて設けられる複数の評価項目を用いて、コース全体の走行に対する評価を行うコース全体評価部（６０３）と、前回走行結果記憶部（４０５）から読み出された前回の走行時のコース全体評価結果と今回の走行時のコース全体評価結果とを比較するコース全体前回結果比較部（６０５）とを備え、教習コース設定部（４０１）は、前記教習コースデータベース（４０４）から読み出された１つの教習コースに対して、前記複数の評価項目を同じ割合で割り当てる点に第３の特徴がある。
【００１０】
また、前記コース全体評価部（６０１）は、エコドライブ度を評価するエコドライブ度評価部（６０４）を具備し、前記エコドライブ度評価部（６０４）は、操作者の操作に基づいて、コース全体の平均燃費および最低瞬間燃費を算出し、該平均燃費および最低瞬間燃費とエコドライブ度との関係を示す予め定められたマップに基づいて前記エコドライブ度を導出する点に第４の特徴がある。
【００１１】
また、前記訓練シーン別評価部（６０１）、前記訓練シーン別前回結果比較部（６０２）、前記コース全体評価部（６０３）および前記コース全体前回結果比較部（６０５）からの出力に基づいて、教習結果を集約した結果シート（７００，８００，９００，９５０）を作成する結果シート作成部（４５２）を具備する点に第５の特徴がある。
【００１２】
また、前記訓練シーンでの走行結果を、前記訓練シーンが出現している平面地図による走行マップ（８０２，８０７，９５２，９５７）よって表示するマップ作成部（５０３）と、前記マップ作成部（５０３）によって作成された前回走行時の走行マップ（８０２，９５２）と今回走行時の走行マップ（８０７，９５７）とを同時に表示する教習結果作成部（５００）とを具備する点に第６の特徴がある。
【００１３】
また、教習結果作成部（５００）は、前回走行時の走行マップ（８０２，９５２）と今回走行時の走行マップ（８０７，９５７）との間に、訓練シーン毎の結果に対応する走行結果アドバイス（８０３，８０６，９５３，９５６）を表示する点に第７の特徴がある。
【００１４】
また、前記複数の評価項目に対する評価を表す多角形状のレーダーチャートを作成するチャート作成部（５０１）を具備し、前記チャート作成部（５０１）は、前回走行時の結果と今回走行時の結果とを重ね合わせたレーダーチャート（７０８，９０３）を作成する点に第８の特徴がある。
【００１５】
また、前記コース全体評価部（６０１）は、エコドライブ度を評価するエコドライブ度評価部（６０４）を具備し、前記エコドライブ度評価部（６０４）は、操作者の操作に基づいて、少なくともコース全体の平均燃費に基づいて前記エコドライブ度を点数で表示する点に第９の特徴がある。
【００１６】
また、前記エコドライブ度評価部（６０４）は、前記コース全体の平均燃費に基づいて算出される平均燃費評価、停止状態からの発進時に検知される最大スロットル開度に基づいて算出される発進加速評価、予め定めたブレーキ力を超えるブレーキ入力の回数に基づいて算出される急減速評価をそれぞれ点数で表示すると共に、前記平均燃費評価と前記発進加速評価と前記急減速評価との合計点数による総合評価点数を表示する点に第１０の特徴がある。
【００１７】
さらに、前記アドバイス作成部（４５０）は、前記訓練シーン別前回結果比較部（６０２）によって前回結果と今回結果とを比較した結果を文章で示す総合アドバイスを作成し、総合アドバイス欄（９６０）に表示する点に第１１の特徴がある。
【発明の効果】
【００１８】
第１の特徴によれば、複数の異なる教習コースを記憶する教習コースデータベースと、操作者に所定の操作を要求する複数の訓練シーンを記憶する訓練シーンデータベースと、教習コースデータベースから読み出された１つの教習コースに対して、訓練シーン割当部によって訓練シーンを同じ割合で割り当てて教習コースを設定する教習コース設定部と、訓練シーンに対して行われた操作と、要求される所定の操作とを比較する訓練シーン別評価部と、前回の走行結果を記憶する前回走行結果記憶部と、前回走行結果記憶部から読み出された前回の走行時の訓練シーンに対する評価結果と、今回の走行時の訓練シーンに対する評価結果とを比較する訓練シーン別前回結果比較部とを具備するので、水たまりや飛び出し歩行者等の訓練シーン毎に前回結果と今回結果とを比較することが可能となる。これにより、教習コースが異なった場合でも前回結果と今回結果との比較を行って、運転技術の上達度合を正確に判断することができる。
【００１９】
また、１つの教習コースに対して同じ割合で訓練シーンを割り当てるので、訓練シーンを割り当てる前の教習コースが同じ場合であっても、訓練シーンの出現位置を変更することが可能となり、訓練シーンの出現位置が記憶されることで運転技術の向上の有無にかかわらず良好な結果が出てしまうことを防ぎ、運転技術の上達度を正確に判断することができる。
【００２０】
第２の特徴によれば、訓練シーン別評価部の結果に応じて、複数のアドバイスを記憶するアドバイスデータベースから訓練シーン毎の結果に対応する走行結果アドバイスを読み出すアドバイス作成部を具備するので、訓練シーン毎の結果に対する走行結果アドバイスを操作者に報知して、自己の向上点や弱点を認識させることができる。
【００２１】
第３の特徴によれば、教習コース全体を通じて設けられる複数の評価項目を用いて、コース全体の走行に対する評価を行うコース全体評価部と、前回走行結果記憶部から読み出された前回の走行時のコース全体評価結果と今回の走行時のコース全体評価結果とを比較するコース全体前回結果比較部とを備え、教習コース設定部は、教習コースデータベースから読み出された１つの教習コースに対して、複数の評価項目を同じ割合で割り当てるので、訓練シーン毎の比較に加えて、事故の発生回数や急ブレーキの操作回数等、教習コース全体を通じて設けられる複数の評価項目に対する評価結果において、教習コースが異なる場合でも、前回結果と今回結果とを比較して運転技術の上達度合を判断することができる。
【００２２】
第４の特徴によれば、コース全体評価部は、エコドライブ度を評価するエコドライブ度評価部を具備し、エコドライブ度評価部は、操作者の操作に基づいて、コース全体の平均燃費および最低瞬間燃費を算出し、該平均燃費および最低瞬間燃費とエコドライブ度との関係を示す予め定められたマップに基づいてエコドライブ度を導出するので、エコドライブ度を導出する際に、コース全体の平均燃費だけでなく最低瞬間燃費が考慮されることとなる。これにより、最低瞬間燃費を悪化させる急発進や急加速等を行うとエコドライブ度で良好な結果が得られないこととなり、これらの操作を控えることを促すことが可能となる。
【００２３】
第５の特徴によれば、訓練シーン別評価部、訓練シーン別前回結果比較部、コース全体評価部およびコース全体前回結果比較部からの出力に基づいて、教習結果を集約した結果シートを作成する結果シート作成部を具備するので、教習結果を集約して紙媒体に印刷したり、モニタに表示した結果シートで操作者にフィードバックできることから、より正確に自己の向上点や、弱点を確実に本人に認識させることができる。
【００２４】
第６の特徴によれば、訓練シーンでの走行結果を、訓練シーンが出現している平面地図による走行マップよって表示するマップ作成部と、マップ作成部によって作成された走行時の走行マップと今回走行時の走行マップとを同時に表示する教習結果作成部とを具備するので、訓練シーンでの走行結果を同時に見比べることが可能となり、自己の向上点や弱点を瞬時に視覚的に認識できる。
【００２５】
第７の特徴によれば、教習結果作成部は、前回走行時の走行マップと今回走行時の走行マップとの間に、訓練シーン毎の結果に対応する走行結果アドバイスを表示するので、２つの走行マップの間に表示されたアドバイスを読みながら、２つの走行マップを効果的に見比べることが可能となる。
【００２６】
第８の特徴によれば、複数の評価項目に対する評価を表す多角形状のレーダーチャートを作成するチャート作成部を具備し、チャート作成部は、前回走行時の結果と今回走行時の結果とを重ね合わせたレーダーチャートを作成するので、レーダーチャートにより複数の評価項目に対する評価が視覚的に判断しやすくなると共に、前回走行時に対する今回走行時の上達度合を容易に判断できるようになる。
【００２７】
第９の特徴によれば、コース全体評価部は、エコドライブ度を評価するエコドライブ度評価部を具備し、エコドライブ度評価部は、操作者の操作に基づいて、少なくともコース全体の平均燃費に基づいて前記エコドライブ度を点数で表示するので、エコドライブ度が点数で表示されることにより、操作者がエコドライブ度の評価度合を把握しやすくなる。
【００２８】
第１０の特徴によれば、エコドライブ度評価部は、コース全体の平均燃費に基づいて算出される平均燃費評価、停止状態からの発進時に検知される最大スロットル開度に基づいて算出される発進加速評価、予め定めたブレーキ力を超えるブレーキ入力の回数に基づいて算出される急減速評価をそれぞれ点数で表示すると共に、平均燃費評価と発進加速評価と急減速評価との合計点数による総合評価点数を表示するので、平均燃費に加えて、発進加速および急減速による影響を考慮してエコドライブ度を求めることが可能となる。
【００２９】
第１１の特徴によれば、アドバイス作成部は、訓練シーン別前回結果比較部によって前回結果と今回結果とを比較した結果を文章で示す総合アドバイスを作成し、総合アドバイス欄に表示するので、前回結果と今回結果との比較が文章によって表示されるので、運転技術の向上点等をより詳しく把握することが可能となる。
【図面の簡単な説明】
【００３０】
【図１】本発明の一実施形態に係るライディングシミュレータの概略構成説明図である。
【図２】ライディングシミュレータの操作者とディスプレイ装置との関係を示す説明図である。
【図３】ライディングシミュレータの全体構成を示すブロック図である。
【図４】教習中のディスプレイの表示状態を示す図である。
【図５】ライディングシミュレータに設定された教習コースの全体図である。
【図６】道路マップおよび経路線の一部拡大図である。
【図７】ライディングシミュレータの制御回路内の構成を示すブロック図である。
【図８】コース全体の結果を示す結果シートの一例を示す図である。
【図９】訓練シーン別の結果を示す結果シートの一例を示す図である。
【図１０】エコドライブ度判定マップである。
【図１１】本発明の第２実施形態に係るコース全体の結果を示す結果シートを示す図である。
【図１２】本発明の第２実施形態に係る訓練シーン別の結果を示す結果シートを示す図である。
【図１３】停止状態からの発進時に検知されるスロットル開度の変化状態を示すグラフである。
【図１４】発進加速点数表示に表示する点数を算出するためのデータグラフである。
【図１５】平均燃費点数表示に表示する点数を算出するためのデータグラフである。
【発明を実施するための形態】
【００３１】
以下、図面を参照して本発明の好ましい実施の形態について詳細に説明する。図１は、本発明の実施形態に係るライディングシミュレータ１０の概略構成説明図である。また、図２は、ライディングシミュレータ１０の操作者とディスプレイ装置との関係を示す説明図であり、図３は、ライディングシミュレータ１０の全体構成を示すブロック図である。
【００３２】
ライディングシミュレータ１０は、制御機構１２と、モーションユニット１４と、制御テーブル１６とを備えている。制御機構１２とモーションユニット１４とは床１８に設置され、これらは、連結機構２０を介して互いに着脱自在に接続されている。
【００３３】
制御機構１２は、コンピュータ等から構成される制御回路２２とＣＧＩ発生装置２４とを収容する本体部２６と、この本体部２６の上部に設けられるディスプレイボックス２８とを備えている。ディスプレイボックス２８は、スピーカユニット３０を組み込むと共に、スクリーンを有するディスプレイ３２を有し、ＣＧＩ発生装置２４とディスプレイ３２からディスプレイ装置３４が構成され、ディスプレイ３２上に走行路を含む種々の走行状態が表示される。
【００３４】
モーションユニット１４は、連結機構２０を介して制御機構１２に着脱自在な基台３６を備え、この基台３６上に、操作者（運転者）３８が操作可能な模型の二輪車（模擬二輪車）４０と、該二輪車４０を実際の二輪車の挙動に則して駆動する駆動機構４２とが装着されている。
【００３５】
基台３６は、床１８の上を移動させるための複数の車輪４４と、基台３６を床１８の上に固定するための複数の固定部４６とを備える。固定部４６にはねじ軸４８が設けられ、このねじ軸４８が基台３６に対し螺回されることにより、固定部４６は上下方向に移動自在とされる。
【００３６】
基台３６上には、支持枠５０が設けられ、この支持枠５０の上部側には、車幅方向に延びるピッチング軸５２を介して二輪車４０の車体５４が前後方向（ピッチング方向）に揺動自在に支持される。また、支持枠５０には、支点５６を中心に揺動自在なピッチングモータ５８が支持され、このピッチングモータ５８に連結されたねじ軸６０にはナット６２が螺合し、車体５４が揺動可能となる。さらに、支持枠５０には、水平方向にロール軸６４を有するロールモータ６６が支持され、車体５４は、このロールモータ６６の出力軸（不図示）に係合する。
【００３７】
二輪車４０のハンドル６８は、ハンドルトルクセンサ７０（図３参照）とステアリングモータ７２の回転軸７４とに直結されており、制御回路２２は、このハンドルトルクセンサ７０の出力信号に基づき、ステアリングモータ７２を介して操作者３８のハンドル６８の回動操作に対応する反力を付与する。駆動機構４２は、ピッチングモータ５８、ロールモータ６６及びステアリングモータ７２により構成される。
【００３８】
図３に示すように、モーションユニット１４側には、さらに操作者３８が右手で操作するフロントブレーキレバー７６に連結されたフロントブレーキ圧センサ７８と、アクセルであるスロットルグリップ８０に連結されたアクセル開度センサ８２と、操作者３８が左手で操作するクラッチレバー８４に連結されたクラッチレバー角センサ８６と、操作者３８の体重の移動方向や移動量を検出するリーントルクセンサ８８と、リヤブレーキペダル９０に連結されたリヤブレーキ圧センサ９２と、所定のスイッチを備えたハンドルスイッチ９４と、ギヤシフトペダル９６に連結されたギヤポジションスイッチ９８とが、信号線を介してコネクタ１００の一端側に接続される。また、駆動機構４２を構成するピッチングモータ５８、ロールモータ６６およびステアリングモータ７２が、信号線を介してコネクタ１０２の一端側に接続される。一方、制御機構１２側には、コネクタ１００、１０２の他端側から信号線に接続される制御回路２２が設けられている。
【００３９】
制御テーブル１６は、制御機構１２に対してホストコンピュータとしても動作するコンピュータ１０４と、このコンピュータ１０４に接続される入力手段としてのキーボード１０６、マウス１０８と、液晶ディスプレイ等のモニタ１１０とを備えている。制御回路２２は、データ伝送用の通信線１１２を介してコンピュータ１０４と接続され、ＣＧＩ発生装置２４は、映像用の通信線１１４を介してコンピュータ１０４と接続されている。
【００４０】
次に、このように構成されるライディングシミュレータ１０の動作について説明する。動作を制御する主体（手段）は制御回路２２である。
【００４１】
操作者３８が、ハンドル６８のフロントブレーキレバー７６、スロットルグリップ８０、クラッチレバー８４を操作することで、フロントブレーキ圧センサ７８の出力信号、アクセル開度センサ８２の出力信号及びクラッチレバー角センサ８６の出力信号が制御回路２２に供給される。また、リヤブレーキペダル９０を操作することで、リヤブレーキ圧センサ９２の出力信号が制御回路２２に供給される。さらに、クラッチレバー８４の操作に伴うギヤシフトペダル９６の操作により、ギヤポジションスイッチ９８のギヤポジション情報が制御回路２２に供給される。一方、二輪車４０上で操作者３８の体重の移動方向や移動量が、リーントルクセンサ８８により検出され、その出力信号が制御回路２２に送られる。これらの出力信号に基づいて、制御回路２２は、駆動機構４２を駆動制御すると共にディスプレイ装置３４等を駆動制御する。
【００４２】
例えば、操作者３８がフロントブレーキレバー７６の操作を行い、ブレーキングをすれば、フロントブレーキ圧センサ７８により検出されるブレーキ圧に応じてピッチングモータ５８が駆動されて二輪車４０が前傾され、ブレーキング時の挙動が再現される。一方、スロットルグリップ８０の操作によりアクセルを急速に開くと、アクセル開度センサ８２により検出される開度に応じてピッチングモータ５８が駆動され、同様に、このピッチングモータ５８の作用下に二輪車４０が後傾され、加速操作時の挙動が再現される。また、ロールモータ６６は、走行中のハンドル操作およびリーントルクセンサ８８の出力に基づいて、二輪車４０を左右にバンクさせる。
【００４３】
上述したような操作者３８の種々の操作が行われる際に、ディスプレイ３２には走行状態に基づいた走行路を含む映像（走行情景）が表示されるため、操作者３８は、実車によるものと同等の走行感覚を得ることができる。
【００４４】
図４は、教習中のディスプレイ３２の表示状態を示す図である。ディスプレイ３２には、コンピュータグラフィックスによる３次元映像による道路マップ２００が表示される。道路マップ２００には、道路２０６、横断歩道２０５、信号機２０３、建物２０４のほか、他車２０２や左右一対の自車のバックミラー２０１、各種の道路標識等が表示される。ディスプレイ３２の右上には、現在の走行状態を示す表示装置としての走破インジケータ１５０が表示される。操作者３８は、ディスプレイ３２の各表示を見ながら二輪車４０を操作する。
【００４５】
図５は、ライディングシミュレータ１０に設定された教習コースの全体図である。ライディングシミュレータ１０は、仮想空間内の所定の道路マップ２００の中に１本の経路線２１０を設定し、この経路線２１０に沿った道順で走行するように教習を行う。経路線２１０は、スタート（ＳＴＡＲＴ）からゴール（ＧＯＡＬ）までを複数のセグメントで区切った道筋であり、本実施形態では、点０〜点１をセグメント１として、セグメント８６までの計８６個のセグメントによって経路線２１０が構成されている。なお、通常の教習中にディスプレイ３２に表示されるのは、図４に示した道路マップ２００とされる。
【００４６】
上記したような複数のセグメントで経路線を規定する手法によれば、車両の現在位置を正確に把握することができるほか、セグメント毎に異なる制限速度を設定することや、また、歩行者横断に伴う徐行や停止、駐車車両の側方通過、水たまりの通過等の訓練シーンをセグメント基準で出現させる制御等が容易となる。
【００４７】
なお、本実施形態では、道路マップ２００の中に１本の経路線２１０のみを記載しているが、同じ道路マップ２００の中に複数の経路線を設定して任意に選択可能としてもよい。さらに、別の道路マップを用意して走行コースの選択肢を増やすこともできる。
【００４８】
図６は、道路マップ２００および経路線２１０の一部拡大図である。経路線２１０は、道路マップ２００上のコース経路を示すものであり、左側通行の場合には道路左側の路肩沿いに設定されている。自車Ｍは、道路マップ２００の道幅の範囲内で任意に走行することができ、例えば、右コーナ２００ａを走行する際に、Ａのように蛇行したりＢのようにセンターラインＣ寄りに走行するほか、センターラインＣを超えて対向車線を走行することもディスプレイ３２上で表現される。操作者３８は、経路線２１０に沿った道路マップ２００の上を、交通法規や交通マナーに従って二輪車４０を操作する必要がある。
【００４９】
図７は、ライディングシミュレータ１０の制御回路２２内の構成を示すブロック図である。入力部４００は、コンピュータ１０４に接続されるキーボード１０６やマウス１０８に対応し、この入力部４００によって、操作者の名前、年齢、性別、生年月日、運転歴、血液型、普段運転している車の種類等の個人の属性情報が入力される。属性情報を入力すると、各教習者にはＩＤ番号が付与される。次回にライディングシミュレータ１０を用いた教習を受ける場合は、入力部４００でＩＤ番号とパスワードを入力することで、属性情報の入力を省略することができる。前回受けた教習の結果は、前回走行結果記憶部４０５に保存されている。
【００５０】
教習コースデータベース４０４には、運転教習用の仮想の道路マップ２００および種々の交通状況をディスプレイ上で再現するためのコンピュータグラフィックスからなる画像が格納されている。教習コース設定部４０１は、操作者３８の属性情報を参照して、教習コースデータベース４０４に準備されている教習コースの中から、この操作者に適切な１つを選択する。この操作者３８が既に教習を受けたことがあり、そのときのデータが前回走行結果記憶部４０５に保存されている場合は、その結果に基づいて教習コースの選択を行っても良い。
【００５１】
教習コースには、実際の道路と同じように、制限速度、駐停車の禁止区域、標識・標示等により交通規制が設定されており、これらに対応する交通標識等もスクリーン上に表示される。操作者３８は、これらを確認して交通法規を遵守するように運転操作を行う。
【００５２】
また、教習コースには、操作者に所定の操作を要求する、「マンホール」、「水たまりと人」、「横断歩道上の歩行者」、「歩行者の飛び出し」等の訓練シーンが設定される。例えば、「水たまりと人」の訓練シーンが出現した場合には、速度を十分落とし、歩行者との距離を大きくとって走行することが要求される。
【００５３】
種々の訓練シーンは、訓練シーンデータベース４０７に記憶されている。本実施形態では、教習コース設定部４０１が、選択された１つの教習コースに対して、訓練シーン割当部４０３によって所定の訓練シーンを同じ割合で割り当てて教習コースを設定する点に特徴がある。この構成によれば、異なるコースであっても同じ割合の訓練シーンが設定されるため、前回教習を受けたコースと今回教習を受けたコースとが異なる場合であっても、双方の結果を比較して運転技術の上達度合を評価することが可能となる。
【００５４】
さらに、教習コース設定部４０１は、教習コースデータベース４０４から読み出された同じ教習コースに対して、同じ割合の訓練シーンを、その出現位置が異なるように設定することができる。この構成によれば、前回教習を受けたコースと今回教習を受けたコースとが同じ場合であっても、訓練シーンの出現位置が異なるため、訓練シーンの出現位置を記憶しているために運転技術の向上の有無にかかわらず良好な結果が出てしまうことを防ぎ、運転技術の上達度を正確に判断することができる。
【００５５】
制御回路２２（図３参照）内の画像制御部４０２は、教習コース設定部４０１の作成した教習コースの画像をライディングシミュレータ１０のディスプレイ３２に映写する。運転教習が開始されると、ディスプレイ３２には、種々の交通状況をシミュレートした画像が映写される。映写される交通状況（例えば、交差点における右左折、車線変更、追い越し、踏切での一時停止、坂道発進）や指示に従って、教習者がハンドル６８やブレーキレバー７６、ウィンカ等の操作機器を操作すると、各操作機器に取りつけられたセンサを通じてその操作情報が運転操作情報取得部４０６によって取得される。運転操作情報取得部４０６は、取得した情報に基づいて仮想の車両の速度や車体の向き、制動距離等の挙動を逐次計算する。
【００５６】
計算された車両の挙動は画像制御部４０２に送られる。画像制御部４０２は、映写する画像に教習者による運転操作をリアルタイムで反映させるようにする。運転操作情報と計算された車両の挙動はさらに評価部６００に送られる。評価部６００は、送られた運転操作情報と車両の挙動から、教習者の運転操作を評価する。
【００５７】
評価部６００は、訓練シーン別評価部６０１と、訓練シーン別前回結果比較部６０２と、コース全体評価部６０４と、コース全体前回結果比較部６０５とを含む。訓練シーン別評価部６０１は、教習コース上に出現する訓練シーン（イベント）をクリアできるか否かを評価する。具体的には、所定の訓練シーンに対して、要求された所定の操作が実行されたか否かを、例えば、Ａ〜Ｄの４段階で評価する。また、訓練シーン別前回結果比較部６０２は、前回教習時の所定の訓練シーンに対する評価と、今回教習時の所定の訓練シーンに対する評価とを比較して、所定の訓練シーンに対する上達度合を判断する。この構成によれば、例えば、異なる教習コースで走行した場合でも、「マンホール」が出現した際に要求される操作が上達したか否かを正確に判断することができる。
【００５８】
また、コース全体評価部６０４は、教習者の運転操作を逐次監視し、制限速度を守っているか、停止すべき位置で停止したか、必要なときにウィンカを点滅させたか等の基本的な評価項目を評価する。教習コース設定部４０１は、選択された教習コースが異なる場合でもあっても、この評価項目を同じ割合で割り当てる。コース全体前回結果比較部６０５は、前回教習時の基本的な評価項目に対する評価と、今回教習時の基本的な評価項目に対する評価とを比較して、基本的な評価項目に対する上達度合を判断する。
【００５９】
また、コース全体評価部６０３内のエコドライブ度評価部６０４は、コース全体での平均燃費および最低瞬間燃費に基づいて、環境面に対して良好な運転であったか否かを示すエコドライブ度を評価する。具体的には、図１０に示すような、平均燃費−最低瞬間燃料−エコドライブ度の関係を示すエコドライブ度判定マップを用いて、ランク１〜５の５段階評価が行われる。この評価手法によれば、平均燃費が良好である場合でも、最低瞬間燃費を悪化させる急発進や急加速等を行うとエコドライブ度で良好な結果が得られないこととなるので、これらの操作を控えることを促すことが可能となる。なお、平均燃費および最低瞬間燃費は、乗員の操作および予め定められた仮想のエンジンデータ等に基づいて算出される。
【００６０】
評価結果は、教習結果作成部５００およびアドバイス作成部４５０に送られる。教習結果作成部５００には、基本的な評価項目に対する評価を示す多角形状のレーダーチャートを作成するチャート作成部５０１と、エコドライブ度を視覚的に表示する画像を作成するエコドライブ度表示作成部５０２と、教習者による運転操作の内容を視覚的に表示する平面地図からなる走行マップを作成するマップ作成部５０３とが含まれる。マップ作成部５０３は、教習コースデータベース４０４から得る教習コースの情報と評価結果とを組み合わせて走行マップを作成する。
【００６１】
アドバイス作成部４５０は、送られた評価結果に基づいて、アドバイスデータベース４５１内に予め準備されている種々のセンテンスを組み合わせて教習者に適合したアドバイスを作成する。教習結果作成部５００が作成したレーダーチャート、エコドライブ度表示および走行マップと、アドバイス作成部４５０が作成したアドバイスは、それぞれ、結果シート作成部４５２に送られる。結果シート作成部４５２は、これらを組み合わせた結果シートを作成する。結果シートは、図示しないプリンタから印刷するほか、コンピュータ１０４に接続されるモニタ１１０（図３参照）上で閲覧することができる。
【００６２】
図８は、コース全体の結果を示す結果シート７００の一例を示す図である。結果シート７００の上部には、操作者の受講者番号や年齢等を表示する属性情報欄７０１が設けられている。属性情報欄７０１の下方には、教習コース全体を通じて設けられる基本的な評価項目に対する評価を記載する一般データ欄７０２が設けられる。
【００６３】
本実施形態では、基本的な評価項目として、「事故発生回数」、「急ブレーキ操作回数（予め定めたブレーキ力を超えるブレーキ入力の回数）」、「速度超過割合（コース総距離に対して制限速度を超過して走行した距離の割合）」、「平均右左折速度（交差点内を右左折している時の平均速度）」、「一時停止、赤信号違反（停止しなければならないところで停止しなかった回数）」、「ウィンカ操作遅れ、忘れ（操作していない箇所の個数）」の計６項目が設定されている。各評価項目に対する結果の表示は、コース全体前回結果比較部６０５（図７参照）によって、前回の教習結果を示す１回目欄７０３と、今回の教習結果を示す２回目欄７０６とを左右に並べるように構成されている。結果欄７０４では、各評価項目に対する具体的な結果を示し、評価欄７０４では、具体的な結果に基づくＡ（安全），Ｂ（やや安全），Ｃ（注意），Ｄ（厳重注意）の４段階評価が行われる。
【００６４】
評価欄７０４の表示は、「事故発生回数」では、０回＝Ａ、１回以上＝Ｄ（Ｂ，Ｃ評価なし）と設定されている。また、「急ブレーキ操作回数」は、０回＝Ａ、１回＝Ｂ、２〜３回＝Ｃ、４回以上＝Ｄと設定されている。また、「速度超過割合」は、０％以上１０％未満＝Ａ、１０％以上２０％未満＝Ｂ、２０％以上３０％未満＝Ｃ、３０％以上＝Ｄと設定されている。また、「平均右左折速度」は、１５ｋｍ／ｈ未満＝Ａ、１５ｋｍ／ｈ以上２５ｋｍ／ｈ未満＝Ｂ、２５ｋｍ／ｈ以上３０ｋｍ／ｈ未満＝Ｃ、３０ｋｍ／ｈ以上＝Ｄと設定されている。また、「一時停止、赤信号違反」は、０回＝Ａ、１回＝Ｃ、２回以上＝Ｄ（Ｂ評価なし）と設定されている。さらに、「ウィンカ操作遅れ、忘れ」は、０回＝Ａ、１回＝Ｂ、２〜３回＝Ｃ、４回以上＝Ｄと設定されている。
【００６５】
評価欄７０４の下部には、チャート作成部５０１（図７参照）で作成したレーダーチャート７０８を表示する走行結果チャート欄７０７が設けられている。レーダーチャート７０８は、破線で示す１回目（前回）と実線で示す２回目（今回）とを重ねて表示することで、前回結果と今回結果とを容易に比較することを可能とする。
【００６６】
走行結果チャート欄７０７の右側には、総合評価欄７０９が設けられている。総合評価は、基本的な評価項目の平均値等を用いてコース全体の評価をＡ〜Ｄの４段階で表示する。本実施形態では、前回結果の下方に今回結果を表示することで、上達度合が視覚的にわかりやすいように構成されている。
【００６７】
結果シート７００の最下段には、エコドライブ度評価欄７１０が設けられている。エコドライブ度評価欄７１０は、平均燃費表示７１１と、エコドライブ度表示７１２と、エコドライブアドバイス表示７１３とが設けられている。エコドライブ度表示７１２は、環境面に対して良好な運転であったか否かを示すエコドライブ度を、着色された双葉マークの数による５段階評価で表示する。また、エコドライブアドバイス表示部７１３には、評価されたエコドライブ度に対応するアドバイスを、アドバイスデータベース４２１から読み出して表示することができる。
【００６８】
図９は、訓練シーン別の結果を示す結果シート８００の一例を示す図である。なお、この結果シート８００は、訓練シーン別前回結果比較部６０２によって、前記結果シート７００を左側としてその右側に並べて一画面上に表示することができる。
【００６９】
本実施形態に係る結果シート８００は、上から順に、二輪車特性体験としての「マンホール」、迷惑行為への配慮を確認する「水たまりと人」、歩行者優先への配慮を確認する「横断歩道上の歩行者」、弱者保護への配慮を確認する「歩行者の飛び出し」の４つの訓練シーンに対する走行結果およびその評価が表示される。
【００７０】
各訓練シーンに対する評価は、１回目の結果と２回目の結果とを左右方向に並べて配置するのみならず、１回目の結果に伴う走行マップ８０２と、２回目の結果に伴う走行マップ８０７とを左右両端部に配置し、その間にＡ〜Ｄの４段階で示される評価表示８０４，８０５および走行結果文章表示８０３，８０６を配置することで、１回目の結果と２回目の結果との比較を行いやすくしている。
【００７１】
結果シート８００の最上段の「マンホール」に着目すると、訓練シーンの表題欄８０１の下部に、１回目の結果および２回目の結果が左右に並べて表示される。１回目の走行マップ８０２を見ると、交差点を右折する際に、注意車両の陰に隠れて視認できなかったり対向左折車に続いて素早く右折しようとしたために、交差点内に設置されたマンホールへの注意度が下がって速度超過につながったことを確認することができる。この訓練シーンの結果に対する走行結果アドバイス表示８０３には、「交差点のマンホールで転倒しそうになりました。」と表示され、評価表示８０４には「Ｃ」が表示されている。なお、１回目の走行結果は、前回走行結果記憶部４０５から読み出される。
【００７２】
これに対し、１回目の評価表示８０４の右側に隣接する２回目の評価表示８０５には「Ａ」が表示されているため、操作者は即座に訓練シーン「マンホール」に対する操作が上達したと認識することができる。２回目の評価表示８０５の右側の走行結果アドバイス表示８０６には、「曲がり角のマンホールに対し、安全に走行できました。」と表示され、走行マップ８０７を見ると、速度の高い幹線道路から狭い路地へ左折する最の減速が十分であったために、道路中央に設置されたマンホールを安全に通過できたことを確認できる。そして、アドバイス表示欄８０８には、個別の訓練シーンに対して要求される操作や注意点等が表示される。訓練シーン「マンホール」に対しては、「旋回しながらマンホールの上を通過すると、スリップし転倒する恐れがあります。スピードを落とし、なるべく車体を立てて通過しましょう。」と表示され、２回目の評価表示８０５が「Ａ」であったのは、左折時に十分な減速ができたためであったと、その理由を把握することができる。なお、走行結果アドバイス表示８０６に表示するアドバイスは、各訓練シーンの走行結果に応じて、アドバイスデータベース４５１から読み出される。
【００７３】
以下、「水たまりと人」、「横断歩道上の歩行者」、「歩行者の飛び出し」の訓練シーンに関しても同様の表示が行われるため、教習を終えた操作者は、訓練シーン毎の上達度合を容易に把握することが可能となる。
【００７４】
なお、結果シート７００，８００の形態は種々の変形が可能であり、例えば、結果シート８００の最下段に、教習全体を総括する総合アドバイス欄を設けてもよい。
【００７５】
図１１は、本発明の第２実施形態に係る結果シート９００を示す図である。結果シート９００は、図８に示した結果シート７００と同様、コース全体の結果を示すものであるが、特に、エコドライブ度の評価結果を示すエコドライブ度評価欄９０５の構成が異なっている。一般データ欄９０１の下部に、レーダーチャート欄９０２を配設し、その右側に結果欄７０４を設ける構成は、図８に示した結果シート７００と同様である。なお、レーダーチャート欄９０２に表示されるレーダーチャート９０３は、評価「Ｄ」の位置を六角形の中心から離間した位置に配置することで、例えば、オール「Ｄ」であった場合でも、中心点だけが表示されるのではなく、小さな六角形が表示されるように構成されている。
【００７６】
本実施形態に係るエコドライブ度評価欄９０５は、１回目と２回目の結果を上下に並べて表示すると共に、双葉マークによる表示に加えてエコドライブ度を点数で表示するように構成されている。５つの双葉マークで表示されるエコドライブ度表示９１０は、総合点数表示９０９に表示する点数に連動して、５枚の双葉マークの着色部分が右方に向かって増加するように構成されている。双葉マークの上部には、コース全体を通しての平均燃費を示す平均燃費表示９１１が設けられる。なお、エコドライブ度の評価は、コース全体評価部６０１のエコドライブ度評価部６０４（図７参照）によって実行される。
【００７７】
本実施形態では、エコドライブ度の総合点数表示９０９に表示される点数が、２５点満点の発進加速点数表示９０６、２５点満点の急減速点数表示９０７、５０点満点の平均燃費点数表示９０８にそれぞれ表示される点数の合計値として１００点満点で表示される。
【００７８】
発進加速点数表示９０６に表示される点数は、停止状態からの発進時に検知された最大スロットル開度ＴＨｍａｘに基づいて算出される。図１３に示したグラフは、停止状態からの発進時に検知されるスロットル開度の変化を示すグラフであり、本実施形態では、発進から３秒経過するまでに検知されたスロットル開度の最大値を最大スロットル開度ＴＨｍａｘ（％）として適用する。
【００７９】
最大スロットル開度ＴＨｍａｘは、コースを走行中に停止状態から発進する毎に記録されており、その総和を発進回数ｎで除算することによって最大スロットル開度平均値ＴＨｍａｘ＿ａｖｅが算出される。最大スロットル開度平均値ＴＨｍａｘ＿ａｖｅは、図１４に示すような、減点数と最大スロットル開度平均値ＴＨｍａｘ＿ａｖｅとの関係を示すデータグラフに適用され、これに伴って、「発進加速」における点数が、２５−減点数（最大２５）の式によって算出される。
【００８０】
次に、急減速点数表示９０７に表示される点数は、予め定めたブレーキ力を超えるブレーキ入力である急ブレーキ操作が行われた回数に基づいて算出される。本実施形態では、急ブレーキ回数が０回であれば減点０とし、また、急ブレーキ回数が４回以上であれば減点２５に設定されている。そして、急ブレーキ回数ｂｒｋｎが１，２，３回の場合には、６．２５×ｂｒｋｎの算出式を用いて、それぞれの減点数が算出される。「急減速」における点数は、２５−減点数（最大２５）の式によって算出された後に小数点以下を切り捨てた値とされる。
【００８１】
そして、平均燃費点数表示９０８に表示される点数は、図１５に示すような、コース全体平均燃費と平均燃費点数（最大５０）との関係を示すデータマップに基づいて導出される。コース全体平均燃費がＮの時の平均燃費点数はＰであり、エコドライブ度評価欄９０５においては、このＮの値が平均燃費表示９１１に表示されると共に、Ｐの値が、平均燃費点数表示９０８に表示されることとなる。
【００８２】
図１２は、本発明の第２実施形態に係る訓練シーン別の結果を示す結果シート９５０を示す図である。結果シート９５０は、上から順に、歩行者優先への配慮を確認する「横断歩道上の歩行者」、迷惑行為への配慮を確認する「水たまりと人」、弱者保護への配慮を確認する「歩行者の飛び出し」、二輪車特性体験としての「マンホール」の４つの訓練シーンに対する走行結果およびその評価が表示される。
【００８３】
各訓練シーンに対する評価は、１回目の結果と２回目の結果とを左右方向に並べて配置するのみならず、１回目の結果に伴う走行マップ９５１と、２回目の結果に伴う走行マップ９５７とを左右両端部に配置し、その間にＡ〜Ｄの４段階で示される評価表示９５４，９５５および走行結果文章表示９５３，９５６を配置することで、１回目の結果と２回目の結果との比較を行いやすくしている。
【００８４】
結果シート９５０の最上段の「横断歩道上の歩行者」に着目すると、訓練シーンの表題欄９５１の下部に、１回目の結果および２回目の結果が左右に並べて表示される。１回目の走行マップ９５２を見ると、Ｔ字路を右折しようとした際に、横断歩道を走行する自転車に注目していたために、横断歩道を歩行する子供に気付くのが遅れて接近してしまったことを確認することができる。この訓練シーンの結果に対する走行結果アドバイス表示９５３には、「横断歩道の子供に、２．８ｍまで接近しました。」と表示され、評価表示９５４には「Ｂ」が表示されている。
【００８５】
これに対し、１回目の評価表示９５３の右側に隣接する２回目の評価表示９５５には「Ａ」が表示されているため、操作者は即座に訓練シーン「横断歩道上の歩行者」に対する操作が上達したと認識することができる。２回目の評価表示９５５の右側の走行結果アドバイス表示９５６には、「横断歩道上の歩行者に、安全に対応できました。」と表示され、走行マップ９５７を見ると、歩行者を早期に確認したために歩行者に近づきすぎなかったことを確認できる。そして、アドバイス表示欄９５８には、「横断歩道を渡ろうとしている歩行者がいる場合、その歩行者が原則優先です。安全な場所に停車して、歩行者の横断を妨げてはいけません。」と表示され、２回目の評価表示９５６が「Ａ」であったのは、歩行者が渡り終わるまで右折を開始しなかったためであったと、その理由を把握することができる。
【００８６】
以下、「歩行者の飛び出し」、「水たまりと人」、「マンホール」の各訓練シーンに関しても同様の表示が行われるため、教習を終えた操作者は、訓練シーン毎の上達度合を容易に把握することが可能となる。
【００８７】
結果シート９５０の下部には、総合アドバイス欄９６０が設けられている。総合アドバイス欄９６０に記載されるアドバイスには、訓練シーン別前回結果比較部６０２によって、前回結果より今回結果の方がよかった、すなわち、運転技術が向上したと判断できる訓練シーンを列挙したり、また、どのくらい上達したか等の比較結果を含むことができる。
【００８８】
本実施形態では、総合アドバイス欄９６０に、「二輪特性の項目について、改善の傾向が見られました。今後もこの状態を維持して、二輪車の特性に注意して運転しましょう。歩行者優先の項目について、改善の傾向が多少見られました。今後もこの状態をさらに向上させ、常にルールを守って運転しましょう。二輪車は機動性がよい分、ついついスピードが出やすくなります。常に危険を予測し、心にブレーキを持った運転を心がけましょう」と表示される。このようなアドバイス表示によれば、特に、訓練シーン「マンホール」の評価がＣからＡに２段階向上したことや、「横断歩道上の歩行者」の評価がＢからＡに１段階向上したこと等を容易に確認することができる。
【００８９】
なお、結果シート９００，９５０の形態は種々の変形が可能であり、例えば、結果シート９００の最下段に種々の文章を表記するコメント欄を設けてもよい。このコメント欄には、例えば、「今月のスローガン：ハンドル持ったら脱宣言！携帯・メール・酒・脇見」等の文章を表示することができる。
【００９０】
上記したように、本発明に係るライディングシミュレータによれば、特定の運転が要求される訓練シーンを複数の走行コース中に同じ割合で設定したので、教習者が複数の走行コースを走行した際でも、各訓練シーンにおける運転者の運転操作の結果を比較判定して、運転者の上達度合を診断することが可能となる。
【００９１】
なお、ライディングシミュレータの構成、教習コースの道路マップや経路線の形態、訓練シーンの内容、教習コースに訓練シーンを割り当てる割合、結果シートの形態、訓練シーン別前回結果比較部およびコース全体前回結果比較部の出力に応じた表示の形態、アドバイスの表示内容等は、上記実施形態に限られず種々の変更が可能である。
【符号の説明】
【００９２】
１０…ライディングシミュレータ、３２…ディスプレイ、３８…操作者、４０…二輪車、１５０…走破インジケータ、２００…道路マップ、２１０…経路線、４０１…教習コース設定部、４０３…訓練シーン割当部、４０４…教習コースデータベース、４０５…前回走行結果記憶部、４０７…訓練シーンデータベース、４５０…アドバイス作成部、４５１…アドバイスデータベース、４５２…結果シート作成部、５０１…チャート作成部、５０２…エコドライブ度表示作成部、５０３…マップ作成部、６００…評価部、６０１…訓練シーン別評価部、６０２…訓練シーン別前回結果比較部、６０３…コース全体評価部、６０４…エコドライブ度評価部、６０５…コース全体前回結果比較部、８０２，８０７，９５２，９６７…走行マップ、８０３，８０６，９５３，９５６…走行結果アドバイス
【図１】
0005328758.tif 000002
【図２】
0005328758.tif 000003
【図３】
0005328758.tif 000004
【図４】
0005328758.tif 000005
【図５】
0005328758.tif 000006
【図６】
0005328758.tif 000007
【図７】
0005328758.tif 000008
【図８】
0005328758.tif 000009
【図９】
0005328758.tif 000010
【図１０】
0005328758.tif 000011
【図１１】
0005328758.tif 000012
【図１２】
0005328758.tif 000013
【図１３】
0005328758.tif 000014
【図１４】
0005328758.tif 000015
【図１５】
0005328758.tif 000016